(57)【特許請求の範囲】
【請求項１】
イメージデータを蓄積する記憶手段を備え、印刷処理中に前記記憶手段の中の印刷済みの一部のイメージデータを新たなイメージデータに入れ替えていくことで、前記記憶手段に収まりきらないイメージデータの印刷を連続紙に行うことの可能な印刷装置において、
印刷中の箇所から所定間隔前までのイメージデータは前記記憶手段に残すようにしてイメージデータの入れ替えを行うデータ入替え手段を備え、
印刷エラーが生じた場合に、前記記憶手段に保存されている印刷済みのイメージデータの範囲内で任意に設定可能な箇所より印刷を再開させるリカバリ機能を備えたことを特徴とする印刷装置。
【請求項２】
前記データ入替え手段は、前記記憶手段に蓄積されるイメージデータを複数に分割して単位イメージデータとし、前記記憶手段がイメージデータで所定容量満たされた後に、１つの単位イメージデータの印刷が行われる毎に古い方の単位イメージデータを新たな単位イメージデータに入れ替えていくファストイン・ファストアウト方式の入替え手段であることを特徴とする請求項１に記載の印刷装置。
【請求項３】
前記記憶手段に蓄積されるイメージデータは、複数のラスタデータの集合であることを特徴とする請求項１または２に記載の印刷装置。
【請求項４】
所定容量のラスタデータが入力されることで１単位のライン印刷を行う印刷手段を備え、
前記印刷手段に入力されるラスタデータの容量は、前記１つの単位イメージデータに対応する大きさであることを特徴とする請求項３記載の印刷装置。
【請求項５】
前記連続紙が大判紙であることを特徴とする請求項１記載の印刷装置。
【請求項６】
前記連続紙の余白部分に、用紙送り方向に所定間隔で並ぶ目印が設けられていることを特徴とする請求項１記載の印刷装置。
【発明の詳細な説明】
【０００１】
【発明の属する技術分野】
この発明は、印刷処理中に古いイメージデータと新たなイメージデータとを記憶手段に入れ替えていくことで、記憶手段に収まりきらないイメージデータの印刷を連続紙に連続的に行うことの可能な印刷装置に適用して有用な技術に関する。
【０００２】
【従来の技術】
例えば、建物の壁面に貼り付けるような印刷紙よりも大きな広告用のポスターの作製には次のような方法が以前より採用されている。すなわち、大きな全印刷画像を複数に分割し、周囲もしくは両端にオーバーラップ部分を設けて、これら分割された画像を複数の大判紙にそれぞれ印刷するとともに、オーバーラップ部分には重複した画像を印刷し、その後、これら複数の大判紙を印刷画像が連続するよう重ねて貼り合わせると云った方法である。
【０００３】
上記のような大判紙（例えば横５４インチ×縦３０メートルの大判紙）へ印刷を行う印刷装置としては、例えば、横長のライン印刷が可能なインクジェット方式の印刷エンジンと呼ばれるユニットタイプの印刷機構を有し、印刷紙を間歇的に縦方向に送りながら上記横方向のライン印刷を繰り返すことで２次元状の印刷を行う印刷装置が従来からある。このようなライン印刷を繰り返す方式により、印刷可能な画像の縦方向の長さを相当に長くすることが可能となる。
【０００４】
また、上記のような大判紙へ印刷を行う印刷装置には、イメージデータ（例えばラスタデータ）を蓄える大容量の記憶装置が設けられ、この記憶装置に蓄えたイメージデータを読み出して上記印刷エンジンに供給しながらライン印刷を行っていくのが一般的である。
しかしながら、上記のような印刷装置で長尺紙（例えば縦３メートル）へ印刷を行うような場合、イメージデータのデータ容量が膨大になって記憶装置に収まりきらないと云った不都合が生じてくる。このような場合、従来では、イメージデータを複数回に分けて記憶装置に送ることで長尺の印刷に対応していた。具体的には、記憶装置の記憶容量が印刷範囲で２メートル分のデータ容量に相当する場合、先ず、記憶装置に１回分のイメージデータ（例えば２メートル分のイメージデータ）を転送して、この２メートル分の印刷処理を実行し、その後、記憶装置内のイメージデータを次の１メートル分のイメージデータと全て入れ換えて、次の１メートル分の印刷処理を行う。その結果、３メートルの長尺印刷物が得られる。
【０００５】
【発明が解決しようとする課題】
ところで、一般的な印刷装置には、用紙が途中で詰まって折り潰される所謂ジャムと云われるエラーが発生する場合がある。そして、このようなエラーが発生した場合には、エラーを解除した後に、自動でエラーの発生したページを再印刷するリカバリー処理が行われるようになっている。
【０００６】
しかしながら、上記のような大判印刷を行う印刷装置においては、全イメージデータが記憶装置に収まりきらない長尺印刷を行っている場合、エラー発生時において記憶装置に一部のイメージデータしか保存されていないため、エラー解除後に自動で再印刷を行うことが出来ないという課題があった。そして、再印刷を行うには、ホストコンピュータから再び膨大な印刷データを最初から印刷装置に送り直さなくてはならないという問題があった。
【０００７】
すなわち、従来のリカバリ方式では、印刷処理の途中で、記憶装置のイメージデータが入れ換えられた直後にエラーが発生した場合には、ジャムが発生した箇所より少し手前の部分から再印刷を行えると都合が良いにも拘らず、記憶装置にエラー発生時より前のイメージデータが全く残されていないため、再びホストコンピュータから印刷データを送り直す必要があり、大きな時間ロスが発生していた。
【０００８】
この発明の目的は、イメージデータが記憶装置に収まりきらない大きさの印刷処理でエラーが発生した場合に、ホストコンピュータから同じ印刷データを送りなおすことなくリカバリー処理可能で、特に長尺印刷や大判印刷において効率の良いリカバリー処理が可能な印刷装置を提供することにある。
【０００９】
【課題を解決するための手段】
上記課題を解決するため、本発明は、イメージデータを蓄積する記憶手段を備え、印刷処理中に記憶手段の中の印刷済みの一部のイメージデータを新たなイメージデータに入れ替えていくことで、上記記憶手段に収まりきらないイメージデータの印刷を連続紙に連続的に行うことの可能な印刷装置において、印刷中の箇所からその手前の所定長さ（例えば５０ｃｍ〜２．０ｍ等）までのイメージデータは記憶手段に残すようにしてイメージデータの入れ替えを行うデータ入替え手段を備えた構成とする。
【００１０】
このような手段によれば、エラーが発生した場合でも、エラー発生箇所よりその手前の所定長さまでの画像のイメージデータが必ず記憶装置に残されることとなる。従って、ホストから印刷データを送り直さなくても、エラー発生箇所よりその手前の所定位置から再印刷すると云ったリカバリ処理（リカバリ機能）が可能となる。
【００１１】
従来の技術で述べた大型ポスターの作製は画像を分割して大判紙へ印刷し、それらをオーバーラップした部分で重ねて貼り合わせることで行われる。従って、エラー発生時に最初から再印刷すると時間がかかるので、少し手前から再印刷したいという要求の方が強い。少し手前から印刷された画像があれば、ジャムなどで切れた部分に再印刷した部分を重ねてつなぎあわせることで、期待していた画像が得られるからである。
【００１２】
更に、特殊な用途に使用される大判紙や長尺紙などは単価が高いため、ジャムなどでエラーが発生した場合に、ジャムの発生した用紙を捨て再度初めから印刷し直すよりも、ジャムの発生箇所より手前の部分を捨てずに続きの印刷とつなぎ合わせて利用したいという要求も多い。
従って、上記のようなリカバリ処理により、上述の要求が満たされることとなる。
【００１３】
具体的には、上記データ入替え手段は、上記記憶手段に蓄積されるイメージデータを複数に分割して単位イメージデータとし、記憶手段がイメージデータで所定容量満たされた後に、１つの単位イメージデータの印刷が行われる毎に古い方の単位イメージデータを新たな単位イメージデータに入れ替えていくファストイン・ファストアウト方式の入替え手段とする。
【００１４】
このような手段とすることで、容易な処理で確実に印刷箇所からその手前の所定長さのイメージデータを常に記憶装置内に残しておくことが出来る。
また、所定容量のラスタデータが入力されることで１単位のライン印刷を行う印刷手段を備え、この印刷装置に入力されるラスタデータの容量が上記単位イメージデータに対応する大きさとする。例えば、ラインバッファに入力されたラスタデータに基づきライン印刷を行う印刷手段に対し、ラインバッファに１回で入力されるラスタデータの容量を上記単位イメージデータに対応する大きさとする。
【００１５】
このような手段とすることで、印刷処理と連係させて簡潔な制御でスムーズにイメージデータの入れ換えを行うことが出来る。
また、望ましくは、上記リカバリ機能において印刷の再開される箇所が、上記記憶手段に保存されている前のイメージデータの範囲内で任意に設定可能な構成とする。このような構成とすることで、その時々に応じて最適な長さだけ戻ってリカバリ印刷出来るので印刷時間と用紙の効率化を図ることが出来る。
【００１６】
なお、上記記憶手段に記憶されるイメージデータは印刷点の集合を示すラスタデータであることで、連続した印刷中でのデータ入れ換えが可能となる。なお、記憶手段に記憶されるイメージデータを、例えば各座標の色彩と明度とを数値で示したデータなど、ラスタデータの手前の中間データやラスタデータと異なる形式の印刷段階直前のデータとしても、ラスタデータと同様に扱うことのできるデータ形式であれば上記同様の作用効果を得ることが出来る。
【００１７】
【発明の実施の形態】
以下、本発明の好適な実施例を図面に基づいて説明する。
図１は、本発明を適用した実施例の印刷装置1の概略構成を示すブロック図である。
この実施例の印刷装置１は、横長のライン印刷を行うインクジェット方式の印刷エンジン７を搭載し、印刷紙を縦方向に間歇的に送りながら上記ライン印刷を繰り返すことで、例えば、横５４インチ×縦３メートル以上の大判印刷が可能な装置である。この印刷装置１には、用紙サイズやカラー又はモノクロ印刷の設定など各種機能のパラメータ設定を行う操作パネル２や、装置の中心的な制御を行うＣＰＵ（Central Processing Unit ）３、ＣＰＵ３が実行するプログラムが記録されたプログラムＲＯＭ（Read Only Memory）４、ネットワーク１００を介したデータの送受信を行う通信インターフェース５、ホスト１０１…から送られる印刷データや該印刷データを印刷可能に展開したイメージデータなどが蓄えられる記憶装置８、ラインバッファに入力されたラスタデータに基づきライン印刷を行う印刷エンジン７、記憶装置８に蓄えられたイメージデータを順次印刷エンジン７に出力して印刷処理を行わせるエンジンインターフェース６等が備わっている。
【００１８】
この印刷装置１は、上記通信インターフェース５を介してネットワーク上の複数のホストコンピュータ１０１…に接続されており、複数のコンピュータから印刷データを受信して順次印刷処理を行っていくことができるように構成されている。
図２には、実施例の印刷装置１に備わる記憶装置８のメモリ領域の構成を示す。同図（ａ）は記憶装置の各データ領域を示す図、（ｂ）は図面データ領域に記憶される図面データの構成を理解し易いように模式的に示した図である。
【００１９】
この記憶装置８は、例えばハードディスクなどの大規模記憶装置であり、図２（ａ）に示すように、その記憶領域には、ＣＰＵ３により実行される各種プログラムが記憶されているプログラム領域８Ａ、複数のホストコンピュータ１０１…から送られてくる印刷データを一旦蓄えておく受信データ格納領域８Ｂ、印刷データから展開され印刷エンジン７に送られるイメージデータが蓄積される図面データ領域８Ｃなどが設けられている。これらのデータ領域のうち、プログラムを格納するプログラム領域８Ａや受信データの一部を蓄えておく受信データ格納領域８Ｂはデータの量に応じて比較的小さな容量となっている。一方、大判な画像の展開されたイメージデータ（ラスタデータ等）が記憶される図面データ領域８Ｃはデータ量が多いため大きな容量となっている。
【００２０】
この実施例の印刷装置１においては、図２（ｂ）に示すように、図面データ領域８Ｃは複数のセル領域ｃｅｌｌ0〜ｃｅｌｌnに分割したように取り扱われる。これらセル領域ｃｅｌｌ0〜ｃｅｌｌnは、印刷エンジン７により行われる１回のライン印刷で使用されるイメージデータの容量、すなわち印刷エンジン７のラインバッファの容量と同等のものであり、更に、ハードディスクの１回のアクセスでデータ転送可能なセクタ容量と同一に設定されている。
【００２１】
プログラム領域８Ａには、メインプログラムとしてＣＰＵ３により行われる印刷処理プログラムが書き込まれている。更に、受信データ格納領域８Ｂに蓄積されたホスト１０１…からの印刷データを印刷処理可能なイメージデータ（例えばラスタデータ）に展開する処理や、展開されたイメージデータを図面データ領域８Ｃに書込んでいくと共に図面データ領域８Ｃが満杯になった場合に古いイメージデータと新しいイメージデータとを入替えていくデータ入替え処理（データ入替え手段）、並びに、紙ジャムなどのエラー発生後にリカバリ印刷を行うリカバリ処理などの各種処理プログラムが記録されている。
【００２２】
次に、上記のイメージデータを図面データ領域８Ｃに書き込み、入れ替えていくデータ入替え処理について図２（ｂ）を参照しながら説明する。
このデータ入替え処理は、次のようなものである。すなわち、先ず、印刷開始から図面データ領域が満杯になるまで、セル領域ｃｅｌｌ0〜ｃｅｌｌnに順次イメージデータの先頭からセル領域分の単位イメージデータを書込んでいく。
【００２３】
短尺紙印刷などで１枚分の画像データが図面データ領域８Ｃに収まる場合には、全てのイメージデータを書き込んだ後、当該１枚の印刷処理が完了するまで、全てのイメージデータを残したまま印刷処理を行う。印刷処理は、単位イメージデータの書込みと同期させて書込み直後に行うようにしても良いし、イメージデータの書込みを先行させ、先に書込まれた単位イメージデータを任意時間遅らせて読み出して印刷エンジン７に供給し順次印刷処理を行うようにしても良い。
【００２４】
長尺紙印刷などで１枚分の画像データが図面データ領域８Ｃに収まりきらない場合には、単位イメージデータを図面の先頭側のものから順次各セル領域ｃｅｌｌ0〜ｃｅｌｌnに書込んでいき、図面データ領域８Ｃがいっぱいになったら、最後に書込んだ単位イメージデータ（セル領域ｃｅｌｌnのデータ）の印刷が行われる直前まで、次のイメージデータの書込みを止めて待機する。そして、最後に書込んだセル領域ｃｅｌｌnの単位イメージデータが印刷エンジン７に読み出されたタイミングで、一番最初に書き込んだ一番古いイメージデータのセル領域ｃｅｌｌ0に次の新たな単位イメージデータを上書きする。すなわち、一番最初に書き込んだ単位イメージデータ（セルラインｍのデータ）が消去され、そのセル領域ｃｅｌｌ0に新たな単位イメージデータ（セルラインｍ＋ｎ＋１のデータ）が記憶される。次いで、次のセル領域ｃｅｌｌ0の単位イメージデータ（一番新しい単位イメージデータ）が印刷エンジン７に読み出されたタイミングで、その次のセル領域ｃｅｌｌ1（その時点で一番古い単位イメージデータが書込まれたセル領域ｃｅｌｌ1）に次の単位イメージデータを書込む。そして、このような単位イメージデータの入替えを同様に繰り返し、１枚の画像データの終わりまで書込みをする。そして書込まれた全ての単位イメージデータの印刷がなされることで１枚の画像印刷が完了する。
【００２５】
このような単位イメージデータの入替えを行うことで、途中の１ラインの印刷をした時点で、そのラインより手前の範囲の印刷データが図面データ領域８Ｃの容量分残されることとなる。
なお、過去のイメージデータは図面データ領域８Ｃの全容量分残さなくても良く、例えば、全容量の３／４や半分残すようにするだけでも十分な場合がある。このような場合には、図面データ領域８Ｃがイメージデータで満たされた後、最後に書込んだ単位イメージデータの印刷まで待機せずに、任意のセルライン分手前の単位イメージデータの印刷時に、一番古い単位イメージデータを消去して新たな単位イメージデータを書込んでいけば良い。
【００２６】
また、イメージデータの入替えを１回のライン印刷の処理に同期させて単位イメージデータ毎に行わず、例えば、数回〜数百回のライン印刷の処理毎に、又は適当なタイミングで、ｋ（数〜数百）個の単位イメージデータ（但しｋ＜ｍ）をまとめて入替えるようにしても良い。このようにデータ入替えを行った場合には、現時点の印刷箇所から所定間隔手前（ｎ−ｋ）個のイメージデータは図面データ領域８Ｃに必ず保存されることとなる。
【００２７】
次に、紙ジャムなどのエラー発生後にリカバリ印刷を行うリカバリ処理について図３に従って説明する。図３は、実施例の印刷装置で長尺印刷中にジャムが発生した場合のリカバリ印刷の様子を示す説明図である。
ここでの印刷処理は、１枚分の画像データが図面データ領域８Ｃに収まりきらない長尺図面を、ロールから引き出された長尺紙４０上に印刷するものである。そして、先頭側から１ラインずつ長尺紙４０が印刷装置１に送られていくと共に、印刷エンジン７によりＹ方向（用紙の幅方向）に沿ったライン印刷が行われることで、Ｘ−Ｙ平面に２次元状の印刷が行われていく。図３中、４１が図面の始端であり長尺紙４０は左から右に送られていく。
【００２８】
また、この実施例の印刷装置１では、印刷の途中でエラー発生が生じて図面を継ぎ合せる場合があることを想定して、図面の上下に目印用余白４８，４８と、この余白４８，４８内に用紙送り方向に所定間隔で並ぶ目印（”とんぼ”）４９…が設けられるようになっている。
そして、同図長尺紙４０の途中に示されるように、印刷処理の途中で紙送り装置に異常が生じて紙ジャムが発生した場合、紙ジャムを取り除くために印刷が中断され、長尺紙がジャム部４２で切断されて装置から取り除かれる。ジャム部４２は装置の中で紙が折り潰され破損しているので切断する必要がある。
【００２９】
紙ジャムが取り除かれると、先ず、リカバリ印刷を行うか否かの判断が印刷装置１からユーザーに問い合わされる。そして、破損部分よりも後で奇麗に先端を切り直した長尺紙を装置にセットし、操作パネル２等を介して実行を指示することでリカバリ印刷が開始される。
リカバリ印刷は、記憶装置８の図面データ領域８Ｃに保存されているイメージデータを利用して、ジャム部４２より所定間隔手前のライン（例えばライン４６）から再印刷を行うものである。上述したように記憶装置８には任意の箇所の印刷時点でその箇所からその手前の所定長さまでのイメージデータが必ず保存された状態にある。そのため、ジャム発生の時点ではジャム部４２よりその手前に所定長さ（例えば５０ｃｍ〜２．０ｍ）離れた位置から再印刷を始めることが出来る。このリカバリ印刷においても、図面と同時に目印４９…も印刷される。そして、図面終端４４まで印刷されて１枚の図面の印刷が完了される。
【００３０】
上記のリカバリ印刷で再印刷される印刷長は、（破損部分の長さ）＋（切貼り時の糊しろ分の長さ）があれば良く、操作パネル２を介してこの再印刷長が設定変更可能に構成されている。設定の方式は、▲１▼最大長に固定する方式、▲２▼最小長に固定する方式、▲３▼例えばｍｍ単位で任意な長さを指定する方式などがある。
図面の印刷が完了されたら、ジャム発生前の印刷紙とリカバリ印刷の印刷紙とを継ぎ合せることで１枚の図面が完成する。継ぎ合せる際、両者の目印４９…を重ね合わせることでずれなく２枚の印刷紙を継ぎ合せることが出来る。
【００３１】
なお、リカバリ処理で再印刷する際、長尺紙４０の先端部に余白を設け、継ぎ合せの際にこの余白部分が下側に来るように貼り合わせれば良い。
以下、上記の通常の印刷からリカバリ印刷まで含めた印刷処理について図４のフローチャートに基づき詳細に説明する。
図４は、実施例の印刷装置１のＣＰＵ３により実行される印刷処理のフローチャートである。
【００３２】
この処理はコンピュータからの印刷要求に基づき開始される処理である。この処理が開始されると、ステップＳ１において、初期設定や白黒・カラー選択等の機能パラメータの設定処理が行われてステップＳ２に移行する。
ステップＳ２では、コンピュータ１０１…からデータ受信があるか無いかを判別して、無ければあるまでこのステップＳ２の処理を繰り返すが、あれば次のステップＳ３に移行する。
【００３３】
ステップＳ３では、受信したデータを読み込む処理を行い、次いで、ステップＳ４で図面データに目印４９…のデータを付加したラスタデータを作成し、このラスタデータを単位データ毎に切り分けて、セル領域ｃｅｌｌ0〜ｃｅｌｌn（図２（ｂ）参照）に記憶される単位イメージデータ（セルラインデータ）を生成する処理を行い、次のステップＳ５に移行する。
【００３４】
ステップＳ５では、単位イメージデータ５の印刷と、単位イメージデータを記憶装置８の図面データ領域８Ｃに蓄積していく処理をする。ここでの処理が上述のデータ入替え処理であり、単位イメージデータを逐一図面データ領域８Ｃのセル領域ｃｅｌｌ０〜ｃｅｌｌｎに書込むと共に、所定タイミングで単位イメージデータを読み出して印刷エンジン７に供給して印刷を行っていく。そして、上記単位イメージデータの書込み処理を所定ライン分実行したら、次のステップＳ６に移行する。
【００３５】
ステップＳ６では、１枚の図面の印刷処理を終了したか否かを判別し、終了していれば、このフローの印刷処理を終了して、次にコンピュータから印刷要求が送信されるまで待機されるが、終了してなければステップＳ７に移行する。
ステップＳ７では、ジャム等のエラーが発生したか否かを判別し、エラーが無ければステップＳ２に戻って、該ステップからの処理を繰り返すが、エラーがあればステップＳ８に移行する。
【００３６】
ステップＳ８では、操作パネル２の表示部等を介してエラー通知の表示を行ってステップＳ９に移行する。ステップＳ９では、エラーが解除されたか否かを判定し、解除されるまでこの処理を繰り返して、解除されたらステップＳ１０に移行する。つまり、このエラー判定の間に、ユーザーにより印刷装置１から紙ジャムを起こした印刷紙が取り除かれて切断され、印刷紙が再セットされるなどの復旧処理が行われる。
【００３７】
ステップＳ１０では、操作パネル２等を介してリカバリ印刷を行うか否かをユーザーに問い合わせ、「しない」と云う入力が行われれば、この印刷処理のフローを終了するが、「リカバリ印刷する」の入力が行われれば、次のステップＳ１１に移行する。
ステップＳ１１では、ステップＳ１の機能パラメータ設定による再印刷長の設定値と、記憶装置８の容量を増設するオプション構成とを確認して、リカバリ印刷の再印刷長を所定のレジスタにセットしてステップＳ１２に移行する。
【００３８】
ステップＳ１２では、記憶装置８の図面データ領域８Ｃに記憶されているイメージデータのうち印刷エンジン７に読出して印刷処理する単位イメージデータの位置（ポインタ）を、上記ステップＳ１１で設定した再印刷長分戻す処理を行ってステップＳ１３に移行する。
ステップＳ１３では、エラー発生時に図面データ領域８Ｃに保存されていた分のイメージデータの再印刷処理を終えたか否かを判定して、終了したならばステップＳ６に移行して、再びステップＳ２〜Ｓ７のルーチン処理を繰り返し、保存されていたイメージデータに続く印刷処理を行う一方、終了していなければステップＳ１４に移行して、ポインタが指し示す単位イメージデータを印刷エンジン７に読み出して再印刷を行うと共に、ポインタの位置を１つずつずらしていく処理を行う。そして、ステップＳ１３に戻る。
【００３９】
つまり、これらステップＳ１２〜Ｓ１４の処理により、エラー発生箇所から再印刷長分戻された位置より再印刷が行われるようになっている。その際、コンピュータ側や受信データ格納領域８Ｂからのデータ受信およびデータ処理は中断され、図面データ領域８Ｃに保存されていたイメージデータの再印刷が終了したら、再び通常の印刷ステップＳ２〜Ｓ７に戻って続く印刷を行うように構成されている。
【００４０】
以上本発明者によってなされた発明を実施例に基づき具体的に説明したが、本発明は上記実施例に限定されるものではなく、その要旨を逸脱しない範囲で種々変更可能であることはいうまでもない。
例えば、この実施例では、ハードディスク等の大容量記憶装置８を備えた大判印刷用の印刷装置１について説明したが、大容量の記憶装置を有さず少容量のメモリにイメージデータを蓄えて印刷処理を行う装置であっても、メモリ中に保存されているデータを上記実施例と同様に使用することで、エラー発生後に印刷途中から再印刷を行うリカバリ印刷を同様に行うことが出来る。
【００４１】
また、エラーの内容として紙ジャムを例示したが印刷途中の紙切れ、インク切れなど種々のエラーに適用させても良い。
また、本発明のリカバリー印刷処理に新たな処理機能を付加して更に便利な印刷装置を構成することも出来る。例えば、記憶装置８の図面データ領域８Ｃにイメージデータが収まりきらない大きな図面を長尺図面、それ以下の図面を短尺図面として、短尺図面又は長尺図面を自動判別する機能を設け、長尺図面にのみ途中の箇所から再印刷を行うリカバリ印刷を適用し、短尺図面には図面始端から再印刷を行う完全なリカバリ印刷を行うようにしても良い。この自動機能によりユーザーの利便性を高めることが出来る。
【００４２】
また、短尺図面に対しても途中箇所から再印刷するリカバリ印刷を有効としても良く、それにより細かで効率的な用紙利用が図れる。
また、操作パネル２等を介して目印４９…の印刷をオン・オフ設定できるようにしたり、目印４９…を打つ間隔を任意な長さに設定できるようにしても良い。
また、記憶装置８の図面データ領域８Ｃと受信データ格納領域８Ｂの容量の割振りをシステム設定により自由に設定変更できるようにすることで、例えば、複数ホストからの印刷データの同時転送を重視するユーザーに対しては受信データ格納領域８Ｂを大きくして受信データのスプール容量を多くしたり、１ホストとの接続でしか印刷を行わないユーザーに対しては図面データ領域８Ｃを大きくしてリカバリ印刷の機能を強化する等、ユーザの運用の仕方に則した選択が可能となる。
【００４３】
また、記憶装置８の容量をオプションにより数種類用意しておき、大容量のオプションを装着した場合に、図面データ領域８Ｃの容量を増やしてリカバリ印刷の再印刷長を増やすことを可能にしても良い。これにより基本構成は安価に構成でき、オプション設定により完全再印刷サイズを広げたり、リカバリ印刷の機能を強化したり、ユーザーの使用環境に促した拡張が可能となる。
【００４４】
また、紙が途中でなくなる紙切れエラーにより用紙終端に余白部分が残された状態で画像印刷が中断され、用紙補給後にリカバリ印刷を行う場合には、エラー発生箇所の次のラインから印刷を開始するようにしてリカバリ印刷とすることも可能である。
また、操作パネル２を介して、リカバリ印刷の再印刷長を予め設定されている設定値とする固定モードと、エラーの解除後ごとに再印刷長の入力を求められるその都度設定モードとの何れかに指定可能な構成としても良い。その都度設定モードとすることで、エラーにより破れたり汚れたりした範囲を確認した上、最適な糊しろサイズとなる位置からリカバリ印刷を開始させることが出来る。
【００４５】
【発明の効果】
本発明に従うと、ジャム等のエラーが発生した場合に、ホストから印刷データを送り直さなくても、エラー発生箇所より所定間隔手前の位置から再印刷を行うリカバリ印刷が可能となる。
そして、このようなリカバリ印刷により、印刷時間および用紙の効率化を図ることができる。
【図面の簡単な説明】
【図１】本発明を適用して好適な印刷装置の実施例を示す概略構成図である。
【図２】実施例の印刷装置に備わる記憶装置のメモリ領域の構成を示すもので、（ａ）は記憶装置の各データ領域を示す図、（ｂ）は図面データ領域に記憶される図面データの構成を理解し易いように模式的に示した図である。
【図３】実施例の印刷装置で長尺印刷中にジャムが発生した場合のリカバリ印刷の様子を示す説明図である。
【図４】実施例の印刷装置のＣＰＵにより実行される印刷処理のフローチャートである。
【符号の説明】
１    印刷装置
２    操作パネル
３    ＣＰＵ
７    印刷エンジン（印刷手段）
８    記憶装置
８Ｃ  図面データ領域（記憶手段）
４０    長尺紙
４１    図面始端
４２    ジャム部
４３    リカバリ始端
４４    図面終端
４９    目印
【図１】
0003790073.tif 000002
【図２】
0003790073.tif 000003
【図３】
0003790073.tif 000004
【図４】
0003790073.tif 000005